(57)【要約】【課題】自動お湯はり終了時の給湯栓の締め忘れを防止し、使い勝手の向上を図る。また風呂の給湯栓より水が断続的に出るため故障と勘違いし、サービスコールが増発すること。【解決手段】自動お湯はり時にお湯の流量を制御する第の１弁２と、お湯の流れを検知する水量スイッチ３と、前記第１の弁２を制御する制御回路８と、自動お湯はりスイッチが搭載されたリモコン７と、お湯を風呂５に注ぐ給湯栓４と、お湯はり終了時に報知する報知器６とを備え、自動お湯はりが終了し、給湯栓４が閉められていない時に前記お湯はりスイッチがオフされた場合、前記第１の弁２を開き、連続的な音を出して、給湯栓の閉め忘れを報知するようにしてある。【選択図】図１
2005147536.tif 000002
【特許請求の範囲】
【請求項１】
自動お湯はり時にお湯の流量を制御する第の１弁と、お湯の流れを検知する水量スイッチと、前記第１の弁を制御する制御回路と、自動お湯はりスイッチが搭載されたリモコンと、お湯を風呂に注ぐ給湯栓と、お湯はり終了時に報知する報知器とを備え、自動お湯はりが終了し、給湯栓が閉められていない時に前記お湯はりスイッチがオフされた場合、前記第１の弁を開き、連続的な音を出して、給湯栓の閉め忘れを報知するようにしたガス給湯機の自動お湯はり終了報知システム。
【請求項２】
請求項１記載の報知機能において、断続的な音を出して、給湯栓の閉め忘れを報知するようにしたガス給湯機の自動お湯はり終了報知システム。
【請求項３】
請求項１記載の報知機能において、リモコンの複数の表示器を連続的に点灯させ、給湯栓の閉め忘れを報知するようにしたガス給湯機の自動お湯はり終了報知システム。
【請求項４】
請求項３記載の報知機能において、リモコンに搭載された１個の表示器を連続的に点灯させ、給湯栓の閉め忘れを報知するようにしたガス給湯機の自動お湯はり終了報知システム。
【請求項５】
請求項３記載の報知機能において、リモコンの複数の表示器を同じタイミングで断続的に点灯させ、給湯栓の閉め忘れを報知するようにしたガス給湯機の自動お湯はり終了報知システム。
【請求項６】
請求項３記載の報知機能において、リモコンの複数の表示器を１個毎に断続的に点灯させ、給湯栓の閉め忘れを報知するようにしたガス給湯機の自動お湯はり終了報知システム。
【請求項７】
請求項３記載の報知機能において、リモコンに搭載された１個の表示器を断続的に点灯させ、給湯栓の閉め忘れを報知するようにしたガス給湯機の自動お湯はり終了報知システム。
【請求項８】
請求項１記載の報知機能において、連続的な音を出しながら、リモコンの複数の表示器を連続的に点灯させ、給湯栓の閉め忘れを報知するようにしたガス給湯機の自動お湯はり終了報知システム。
【請求項９】
請求項８記載の報知機能において、断続的な音を出しながら、リモコンの複数の表示器を連続的に点灯させ、給湯栓の閉め忘れを報知するようにしたガス給湯機の自動お湯はり終了報知システム。
【請求項１０】
請求項１記載の報知機能において、連続的な音を出しながら、リモコンに搭載された１個の表示器を連続的に点灯させ、給湯栓の閉め忘れを報知するようにしたガス給湯機の自動お湯はり終了報知システム。
【請求項１１】
請求項８記載の報知機能において、断続的な音を出しながら、リモコンに搭載された１個の表示器を連続的に点灯させ、給湯栓の閉め忘れを報知するようにしたガス給湯機の自動お湯はり終了報知システム。
【請求項１２】
請求項８記載の報知機能において、連続的な音を出しながら、リモコンに搭載された１個の表示器を断続的に点灯させ、給湯栓の閉め忘れを報知するようにしたガス給湯機の自動お湯はり終了報知システム。
【請求項１３】
請求項８記載の報知機能において、断続的な音を出しながら、リモコンに搭載された１個の表示器を断続的に点灯させ、給湯栓の閉め忘れを報知するようにしたガス給湯機の自動お湯はり終了報知システム。
【請求項１４】
請求項８記載の報知機能において、連続的な音を出しながら、リモコンの複数の表示器を同じタイミングで断続的に点灯させ、給湯栓の閉め忘れを報知するようにしたガス給湯機の自動お湯はり終了報知システム。
【請求項１５】
請求項８記載の報知機能において、断続的な音を出しながら、リモコンの複数の表示器を同じタイミングで断続的に点灯させ、給湯栓の閉め忘れを報知するようにしたガス給湯機の自動お湯はり終了報知システム。
【請求項１６】
請求項８記載の報知機能において、連続的な音を出しながら、リモコンの複数の表示器を１個毎に断続的に点灯させ、給湯栓の閉め忘れを報知するようにしたガス給湯機の自動お湯はり終了報知システム。
【請求項１７】
請求項８記載の報知機能において、断続的な音を出しながら、リモコンの複数の表示器を１個毎に断続的に点灯させ、給湯栓の閉め忘れを報知するようにしたガス給湯機の自動お湯はり終了報知システム。
【請求項１８】
請求項１記載の報知機能において、音による報知と、表示器よる報知を切り替えられるガス給湯機の自動お湯はり終了報知システム。
【発明の詳細な説明】
【技術分野】
【０００１】
本発明は、ガス給湯機の自動お湯はり終了時に給湯栓の閉め忘れを報知する制御に関するものである。
【背景技術】
【０００２】
従来、この種の自動お湯はり機能の終了時の報知については、自動お湯はり終了後、水量制御弁を閉にすることによりお湯が止まり、終了の報知を行なう。
【０００３】
自動お湯はりスイッチを切り忘れていると、自動お湯はりスイッチをオフにするように催促の報知を行なう。また、自動お湯はりスイッチをオフ後、一定時間経過した後、給湯栓を閉め忘れていることをチェックするため、水量制御弁を一定時間、開とし水流スイッチがオンすると、給湯栓が開状態であると判断し、給湯栓を閉とするための催促の報知を行なう様に構成されている（例えば特許文献１参照）。
【特許文献１】特開平８−１２１８６１号公報
【発明の開示】
【発明が解決しようとする課題】
【０００４】
しかしながら、前記従来の構成では、自動お湯はりスイッチをオフにしたにもかかわらず、給湯栓が閉め忘れていることが、一定時間経過後しか判らないため、再度風呂へ行って給湯栓を閉めなければなず、二度手間になるという使い勝手の不便さがあった。
【０００５】
また、時間経過後では、自動お湯はり操作を行なっていたことを、忘れてしまう可能性がある。そのため、給湯栓の状態をチェックするため水流スイッチが反応するまで水を流し続けて給湯栓が開いていることを報知しても、何の報知か認識出来ず、給湯栓の開状態状態が長時間続くと、風呂のお湯があふれてしまう恐れがあった。
【０００６】
また、自動お湯はりスイッチがオフにしているにもかかわらず、お風呂の給湯栓より水が出るため、風呂の使用者は故障と勘違いし、サービスコールが多発するという課題を有していた。
【０００７】
本発明は、前記従来の課題を解決するもので、自動お湯はり終了時に給湯栓を閉め忘れていた場合、自動お湯はりスイッチをオフした際に、即報知を行ない、給湯栓を閉とするように催促する、即時対応型の簡素化した自動お湯はり終了報知システムを提供することを目的とする。
【課題を解決するための手段】
【０００８】
前記従来の課題を解決するため、本発明のガス給湯機の自動お湯はり終了報知システムは、自動お湯はりが終了し、水量制御弁が閉となり風呂へのお湯が止められる。その後自動お湯はりスイッチがオフされた場合、水量制御弁が全開となり、給湯栓が閉められていない時は残り湯、水の流れに水流スイッチが反応し、即連続音または断続音を出して、給湯栓を閉める様に催促するものである。
【０００９】
これによって、給湯栓の閉め忘れが即判かり、自動お湯はりスイッチをオフした動作で給湯栓を閉めることが出来る。また、即給湯栓から残り湯、水がでるため、給湯栓の閉め忘れであることが理解でき、故障と勘違いすることもない。また、風呂のお湯があふれるほど風呂への余分なお湯も入らない。
【００１０】
また、本発明の請求項３〜７まではリモコンに搭載されている表示器を用いて報知するものである。
【００１１】
また、本発明の請求項８〜１７は報知音と表示器の組み合わせにより報知するものである。
【００１２】
また、本発明の請求項１８は報知音と表示器による報知の切替を行なえる機能を有するものである。
【発明の効果】
【００１３】
本発明のガス給湯機の自動お湯はり終了報知システムは、給湯栓の閉め忘れが即判かり、自動お湯はりスイッチをオフした動作で給湯栓を閉めることが出来る。また、即給湯栓から残り湯、水がでるため、給湯栓の閉め忘れであることが理解でき、故障と勘違いすることも無い。また、風呂のお湯があふれるほど風呂への余分なお湯も入らない。
【発明を実施するための最良の形態】
【００１４】
第１の発明は、自動お湯はり時にお湯の流量を制御する第の１弁と、お湯の流れを検知する水量スイッチと、前記第1の弁を制御する制御回路と、自動お湯はりスイッチが搭載されたリモコンと、お湯を風呂に注ぐ給湯栓と、お湯はり終了時に報知する報知器とを備え、自動お湯はりが終了し、給湯栓が閉められていない時に前記お湯はりスイッチがオフされた場合、前記第１の弁を開き、連続的な音を出して、給湯栓を閉める様に催促することにより、給湯栓の閉め忘れが即判かり、自動お湯はりスイッチをオフした動作で給湯栓を閉めることが出来る。また、即給湯栓から残り湯、水がでるため、給湯栓の閉め忘れであることが理解でき、故障と勘違いすることも無い。また、風呂のお湯があふれるほど風呂への余分なお湯も入らない様にコントロールすることができる。
【００１５】
第２の発明は、特に第１の発明の連続音による報知を断続音とすることにより、給湯栓の閉め忘れが即判かり、自動お湯はりスイッチをオフした動作で給湯栓を閉めることが出来る。また、即給湯栓から残り湯、水がでるため、給湯栓の閉め忘れであることが理解でき、故障と勘違いすることも無い。また、風呂のお湯があふれるほど風呂への余分なお湯も入らない様にコントロールすることができる。
【００１６】
第３の発明は、特に第１の発明の連続音による報知を、リモコンの複数の表示器を連続的に点灯させることにより、給湯栓の閉め忘れが即判かり、自動お湯はりスイッチをオフした動作で給湯栓を閉めることが出来る。また、即給湯栓から残り湯、水がでるため、給湯栓の閉め忘れであることが理解でき、故障と勘違いすることも無い。また、風呂のお湯があふれるほど風呂への余分なお湯も入らない様にコントロールすることができる。
【００１７】
第４の発明は、特に第１の発明の連続音による報知を、リモコンに搭載された１個の表示器を連続的に点灯させることにより、給湯栓の閉め忘れが即判かり、自動お湯はりスイッチをオフした動作で給湯栓を閉めることが出来る。また、即給湯栓から残り湯、水がでるため、給湯栓の閉め忘れであることが理解でき、故障と勘違いすることも無い。また、風呂のお湯があふれるほど風呂への余分なお湯も入らない様にコントロールすることができる。
【００１８】
第５の発明は、特に第１の発明の連続音による報知を、リモコンの複数の表示器を同じタイミングで断続的に点灯させることにより、給湯栓の閉め忘れが即判かり、自動お湯はりスイッチをオフした動作で給湯栓を閉めることが出来る。また、即給湯栓から残り湯、水がでるため、給湯栓の閉め忘れであることが理解でき、故障と勘違いすることも無い。また、風呂のお湯があふれるほど風呂への余分なお湯も入らない様にコントロールすることができる。
【００１９】
第６の発明は、特に第１の発明の連続音による報知を、リモコンの複数の表示器を１個毎に断続的に点灯させることにより、給湯栓の閉め忘れが即判かり、自動お湯はりスイッチをオフした動作で給湯栓を閉めることが出来る。また、即給湯栓から残り湯、水がでるため、給湯栓の閉め忘れであることが理解でき、故障と勘違いすることも無い。また、風呂のお湯があふれるほど風呂への余分なお湯も入らない様にコントロールすることができる。
【００２０】
第７の発明は、特に第１の発明の連続音による報知を、リモコンに搭載された１個の表示器を断続的に点灯させることにより、給湯栓の閉め忘れが即判かり、自動お湯はりスイッチをオフした動作で給湯栓を閉めることが出来る。また、即給湯栓から残り湯、水がでるため、給湯栓の閉め忘れであることが理解でき、故障と勘違いすることも無い。また、風呂のお湯があふれるほど風呂への余分なお湯も入らない様にコントロールすることができる。
【００２１】
第８の発明は、特に第１の発明の連続音による報知を、連続的な音を出しながら、リモコンの複数の表示器を連続的に点灯させることにより、給湯栓の閉め忘れが即判かり、自動お湯はりスイッチをオフした動作で給湯栓を閉めることが出来る。また、即給湯栓から残り湯、水がでるため、給湯栓の閉め忘れであることが理解でき、故障と勘違いすることも無い。また、風呂のお湯があふれるほど風呂への余分なお湯も入らない様にコントロールすることができる。
【００２２】
第９の発明は、特に第１の発明の連続音による報知を、断続的な音を出しながら、リモコンの複数の表示器を連続的に点灯させることにより、給湯栓の閉め忘れが即判かり、自動お湯はりスイッチをオフした動作で給湯栓を閉めることが出来る。また、即給湯栓から残り湯、水がでるため、給湯栓の閉め忘れであることが理解でき、故障と勘違いすることも無い。また、風呂のお湯があふれるほど風呂への余分なお湯も入らない様にコントロールすることができる。
【００２３】
第１０の発明は、特に第１の発明の連続音による報知を、連続的な音を出しながら、リモコンに搭載された１個の表示器を連続的に点灯させることにより、給湯栓の閉め忘れが即判かり、自動お湯はりスイッチをオフした動作で給湯栓を閉めることが出来る。また、即給湯栓から残り湯、水がでるため、給湯栓の閉め忘れであることが理解でき、故障と勘違いすることも無い。また、風呂のお湯があふれるほど風呂への余分なお湯も入らない様にコントロールすることができる。
【００２４】
第１１の発明は、特に第１の発明の連続音による報知を、断続的な音を出しながら、リモコンに搭載された１個の表示器を連続的に点灯させることにより、給湯栓の閉め忘れが即判かり、自動お湯はりスイッチをオフした動作で給湯栓を閉めることが出来る。また、即給湯栓から残り湯、水がでるため、給湯栓の閉め忘れであることが理解でき、故障と勘違いすることも無い。また、風呂のお湯があふれるほど風呂への余分なお湯も入らない様にコントロールすることができる。
【００２５】
第１２の発明は、特に第１の発明の連続音による報知を、連続的な音を出しながら、リモコンに搭載された１個の表示器を断続的に点灯させることにより、給湯栓の閉め忘れが即判かり、自動お湯はりスイッチをオフした動作で給湯栓を閉めることが出来る。また、即給湯栓から残り湯、水がでるため、給湯栓の閉め忘れであることが理解でき、故障と勘違いすることも無い。また、風呂のお湯があふれるほど風呂への余分なお湯も入らない様にコントロールすることができる。
【００２６】
第１３の発明は、特に第１の発明の連続音による報知を、断続的な音を出しながら、リモコンに搭載された１個の表示器を断続的に点灯させることにより、給湯栓の閉め忘れが即判かり、自動お湯はりスイッチをオフした動作で給湯栓を閉めることが出来る。また、即給湯栓から残り湯、水がでるため、給湯栓の閉め忘れであることが理解でき、故障と勘違いすることも無い。また、風呂のお湯があふれるほど風呂への余分なお湯も入らない様にコントロールすることができる。
【００２７】
第１４の発明は、特に第１の発明の連続音による報知を、連続的な音を出しながら、リモコンの複数の表示器を同じタイミングで断続的に点灯させることにより、給湯栓の閉め忘れが即判かり、自動お湯はりスイッチをオフした動作で給湯栓を閉めることが出来る。また、即給湯栓から残り湯、水がでるため、給湯栓の閉め忘れであることが理解でき、故障と勘違いすることも無い。また、風呂のお湯があふれるほど風呂への余分なお湯も入らない様にコントロールすることができる。
【００２８】
第１５の発明は、特に第１の発明の連続音による報知を、断続的な音を出しながら、リモコンの複数の表示器を同じタイミングで断続的に点灯させることにより、給湯栓の閉め忘れが即判かり、自動お湯はりスイッチをオフした動作で給湯栓を閉めることが出来る。また、即給湯栓から残り湯、水がでるため、給湯栓の閉め忘れであることが理解でき、故障と勘違いすることも無い。また、風呂のお湯があふれるほど風呂への余分なお湯も入らない様にコントロールすることができる。
【００２９】
第１６の発明は、特に第１の発明の連続音による報知を、連続的な音を出しながら、リモコンの複数の表示器を１個毎に断続的に点灯させることにより、給湯栓の閉め忘れが即判かり、自動お湯はりスイッチをオフした動作で給湯栓を閉めることが出来る。また、即給湯栓から残り湯、水がでるため、給湯栓の閉め忘れであることが理解でき、故障と勘違いすることも無い。また、風呂のお湯があふれるほど風呂への余分なお湯も入らない様にコントロールすることができる。
【００３０】
第１７の発明は、特に第１の発明の連続音による報知を、断続的な音を出しながら、リモコンの複数の表示器を１個毎に断続的に点灯させることにより、給湯栓の閉め忘れが即判かり、自動お湯はりスイッチをオフした動作で給湯栓を閉めることが出来る。また、即給湯栓から残り湯、水がでるため、給湯栓の閉め忘れであることが理解でき、故障と勘違いすることも無い。また、風呂のお湯があふれるほど風呂への余分なお湯も入らない様にコントロールすることができる。
【００３１】
第１８の発明は、特に第１の発明の音による報知と、第３の発明の表示器よる報知を切り替えられることにより、給湯栓の閉め忘れが即判かり、自動お湯はりスイッチをオフした動作で給湯栓を閉めることが出来る。また、即給湯栓から残り湯、水がでるため、給湯栓の閉め忘れであることが理解でき、故障と勘違いすることも無い。また、風呂のお湯があふれるほど風呂への余分なお湯も入らない様にコントロールすることができる。
【００３２】
以下、本発明の実施の形態について、図面を参照しながら説明する。なお、本実施の形態によって本発明が限定されるものではない。
【００３３】
（実施の形態１）
図１は、本発明の実施の形態におけるガス給湯機の自動お湯はり終了報知システムの構成図を示すものである。
【００３４】
図１において、ガス給湯機１の動作をオン、オフにするリモコン７がある。そのリモコン７でオン操作すると、ガス管１０からのガスをガス弁１１によりガス量を制御し、ガスバーナ１２の燃焼を制御する。また、水道管９からの水は熱交換器１３を介してお湯となり、そのお湯の量は水量制御弁２制御される。通常は水量制御弁２開状態で、給湯栓４が開かれると、水流スイッチ３がお湯または水の流れを検知し、ガスバーナ１２が燃焼し、熱交換器１３で水がお湯となる。ガス弁１１、水量制御弁２、水流スイッチ３の入出力信号を制御はするのは制御回路８であり、リモコン７との通信も行なっている。
【００３５】
以上のように構成されてたガス給湯機の自動お湯はり終了報知システムについて、以下その動作、作用を説明する。
【００３６】
まず、自動お湯はり時は、リモコン７に搭載されたスイッチによりお湯の量を設定し、自動お湯はりスイッチをオンする。その後、給湯栓４を開くと水流スイッチ３が動作し、お湯が給湯栓４から風呂５に注がれる。お湯の量は水流スイッチ３によりカウントされる。
【００３７】
お湯の量が設定量まで達すると、水量制御弁２が閉となり、給湯栓４からのお湯が止まり、リモコン７に搭載されている報知器６からの報知音により、自動お湯はりの終了を報知する。その後、給湯栓４を閉め自動お湯はりスイッチをオフにすれば水量制御弁２が開となり、自動お湯はりは終了するが、給湯栓４を閉める前に自動お湯はりスイッチをオフした場合、水量制御弁２が開となり、給湯栓４が閉められていないため再度お湯が風呂５に注がれるが、水流スイッチ３が動作することにより、給湯栓4が閉められていなことが判るため、リモコン７に搭載されている報知器６から連続音が鳴る。
【００３８】
以上のように、本実施の形態においては、給湯栓４を閉める前に自動お湯はりスイッチをオフした場合、リモコン７に搭載されている報知器６から即連続音が鳴る。このタイミングで報知すると給湯栓４が閉められていないことであると確実に認識でき、リモコン７が風呂５についている場合は、その場で給湯栓４を閉めることが出来る。
【産業上の利用可能性】
【００３９】
以上のように、本発明にかかるガス給湯機の自動お湯はり終了報知システムは、給湯栓の閉め忘れが即判かり、自動お湯はりスイッチをオフした動作で給湯栓を閉めることが出来る。また、即給湯栓から残り湯、水がでるため、給湯栓の閉め忘れであることが理解でき、故障と勘違いすることも無い。また、風呂のお湯があふれるほど風呂への余分なお湯も入らないなど水、電気の無駄遣い防止による、省エネルギー対応が可能となるので、田んぼ、貯水池、プールへの水はり等の用途にも適用できる。
【図面の簡単な説明】
【００４０】
【図１】本発明の実施の形態１のガス給湯機の自動お湯はり終了報知システムを示す図
【符号の説明】
【００４１】
１  ガス給湯機
２  水量制御弁（第１の弁）
３  水流スイッチ
４  給湯栓
５  風呂
６  報知器
７  リモコン
８  制御回路
【図１】
2005147536.tif 000003